(57)【特許請求の範囲】
【請求項１】
ページ記述言語で記述された１以上のページデータを含む編集用データと前記編集用データをビットマップ形式に変換した第１の画像データとを生成する第１のシステムと、刷版を作成するために前記第１のシステムで生成された編集用データを読み込んでビットマップ形式に変換した第２の画像データを生成する第２のシステムとからなる製版印刷システムであって、
前記第１のシステムは、
所定の規則に基づいて、前記編集用データに含まれる各ページデータの内容に応じた一意のコードを生成する第１のユニークコード生成手段と、
前記第１の画像データを前記第１のユニークコード生成手段によって生成されたコードと対応付けて前記第２のシステムへ出力する第１の画像データ出力手段とを備え、
前記第２のシステムは、
前記第１のユニークコード生成手段によって生成されたコードと対応付けられた第１の画像データを読み込む第１の画像データ読み込み手段と、
前記所定の規則に基づいて、前記第１のシステムで生成された編集用データに含まれる各ページデータの内容に応じた一意のコードを生成する第２のユニークコード生成手段と、
前記刷版と１以上の前記編集用データとを対応付け、各編集用データに基づく画像の前記刷版上における位置を示す情報を刷版位置データとして出力する刷版レイアウト手段と、
前記第１のシステムで生成された第１の画像データと、前記刷版レイアウト手段から出力された刷版位置データと前記第１のシステムで生成された編集用データとに基づいて生成された前記第２の画像データとを比較して検版を行う検版手段とを備え、
前記検版手段は、前記第２のユニークコード生成手段によって生成されたコードに基づいて、前記第１のユニークコード生成手段によって生成されたコードと対応付けられた第１の画像データを検索することにより、前記第２の画像データと比較すべき第１の画像データを特定することを特徴とする、製版印刷システム。
【請求項２】
前記第１のユニークコード生成手段によって生成されるコードおよび前記第２のユニークコード生成手段によって生成されるコードはハッシュ値であることを特徴とする、請求項１に記載の製版印刷システム。
【請求項３】
前記第２のシステムは、前記第１のシステムで生成された第１の画像データを保持する第１の画像データ保持手段を更に備え、
前記検版手段は、前記第２の画像データと比較すべき第１の画像データを前記第１の画像データ保持手段に保持されている第１の画像データから特定することを特徴とする、請求項１または２に記載の製版印刷システム。
【請求項４】
前記第１の画像データ出力手段は、前記第１のユニークコード生成手段によって生成されたコードを名称とするデータ格納手段を作成して、当該データ格納手段に前記第１の画像データを出力し、
前記検版手段は、前記第２のユニークコード生成手段によって生成されたコードに基づき当該コードを名称とするデータ格納手段を検出し、当該検出されたデータ格納手段に格納されている第１の画像データを前記第２の画像データと比較すべきデータとして特定することを特徴とする、請求項１から３までのいずれか１項に記載の製版印刷システム。
【請求項５】
ページ記述言語で記述された１以上のページデータを含む編集用データと前記編集用データをビットマップ形式に変換した第１の画像データとを生成する第１のシステムと、刷版を作成するために前記第１のシステムで生成された編集用データを読み込んでビットマップ形式に変換した第２の画像データを生成する第２のシステムとからなる製版印刷システムにおける検版方法であって、
前記第１のシステムにおいて、所定の規則に基づいて、前記編集用データに含まれる各ページデータの内容に応じた一意のコードを生成する第１のユニークコード生成ステップと、
前記第１のシステムにおいて、前記第１の画像データを前記第１のユニークコード生成ステップで生成されたコードと対応付けて前記第２のシステムへ出力する第１の画像データ出力ステップと、
前記第２のシステムにおいて、前記第１のユニークコード生成ステップで生成されたコードと対応付けられた画像データを読み込む第１の画像データ読み込みステップと、
前記第２のシステムにおいて、前記所定の規則に基づいて、前記第１のシステムで生成された編集用データに含まれる各ページデータの内容に応じた一意のコードを生成する第２のユニークコード生成ステップと、
前記第２のシステムにおいて、前記刷版と１以上の前記編集用データとを対応付け、各編集用データに基づく画像の前記刷版上における位置を示す情報を刷版位置データとして出力する刷版レイアウトステップと、
前記第２のシステムにおいて、前記第１のシステムで生成された第１の画像データと、前記刷版レイアウトステップで出力された刷版位置データと前記第１のシステムで生成された編集用データとに基づいて生成された前記第２の画像データとを比較して検版を行う検版ステップと
を備え、
前記検版ステップでは、前記第２のユニークコード生成ステップで生成されたコードに基づいて、前記第１のユニークコード生成ステップで生成されたコードと対応付けられた第１の画像データを検索することにより、前記第２の画像データと比較すべき第１の画像データが特定されることを特徴とする、検版方法。
【請求項６】
前記第１のユニークコード生成ステップで生成されるコードおよび前記第２のユニークコード生成ステップで生成されるコードはハッシュ値であることを特徴とする、請求項５に記載の検版方法。
【発明の詳細な説明】
【技術分野】
【０００１】
本発明は、製版印刷システムに関し、更に詳しくは、製版処理と刷版出力処理とが異なるサイトで運用されている製版印刷システムにおける検版方法に関する。
【背景技術】
【０００２】
近年、印刷製版の分野においてもデジタル化が進み、コンピュータ上のデジタルデータをフィルムを介さず直接刷版に出力するＣＴＰ（Ｃｏｍｐｕｔｅｒ  Ｔｏ  Ｐｌａｔｅ）と呼ばれる手法が普及している。製版印刷システムでは印刷物のデザインを主とする製版処理が上流工程で行われ印刷機に取り付ける版（刷版）の作成を主とする刷版出力処理が下流工程で行われるところ、ＣＴＰではデジタルのデータによって上流工程から下流工程に必要なデータの送信が行われる。
【０００３】
このような製版印刷システムにおいて、製版処理と刷版出力処理とが異なる企業等で行われることが多々ある。このような運用は「２サイト運用」などと呼ばれており、上流工程（以下、「１サイト目」という。）で生成されたデータがオンラインあるいはオフラインで下流工程（以下、「２サイト目」という。）に送信される。２サイト運用のシステムでは、一般的に以下のようにして運用がなされている。まず、１サイト目で、ページ記述言語で記述されたページデータが作成され、当該ページデータを用いて面付け処理が行われる。その後、面付け処理後のデータにＲＩＰ処理が施されて、プルーフによって出力結果の確認が行われる。１サイト目から２サイト目へは、面付け処理後のデータであってＲＩＰ処理前のデータ（以下、「編集レイアウトデータ」という。）が送信される。ＲＩＰ処理前のデータが送信される理由は、２サイト目で刷版出力用の画像データが作成されるまでの間に、刷版として出力される際のレイアウト付けを施す大貼り処理と呼ばれる処理等が介在するからである。次に、２サイト目で、大貼り処理等が施された後の編集レイアウトデータに対するＲＩＰ処理が行われる。これにより、刷版出力用の画像データが作成される。なお、面付け処理については２サイト目で行われるシステムもある。
【０００４】
ところで、このような２サイト運用の製版印刷システムにおいては、１サイト目で得られた出力結果と２サイト目で得られた出力結果とは必ずしも一致するわけではない。その原因として、例えば、両サイト間でパソコンのオペレーティングシステムあるいはアプリケーションソフトのバージョン、フォント等が異なること、面付け処理や大貼り処理の際にオペレータがミスをすること等が考えられる。また、誤ったデータを用いて刷版の出力がなされると、その修正には多大な費用と時間が必要となる。このため、１サイト目で得られた出力結果と２サイト目で得られた出力結果とが一致していることを確認する検版処理が重要となる。ここで、コンピュータを用いて検版処理を行うためには、１サイト目でＲＩＰ処理によって得られた画像データを２サイト目に送信することが必要となる。すなわち、１サイト目から２サイト目へは、ＲＩＰ処理前のデータ（編集レイアウトデータ）に加えてＲＩＰ処理後のデータ（以下、「基準画像データ」という。）についても送信されなければならない。
【０００５】
１サイト目から２サイト目へのデータの送信に関し、２サイト目で検版処理を行うためには、編集レイアウトデータと基準画像データとの間に何らかの関連付けが必要となる。関連付けの手法としては、例えば、編集レイアウトデータと基準画像データとの関連付けを示す情報（データ）を格納する管理ファイルを作成し、当該管理ファイルを１サイト目から２サイト目に送信することが考えられる。また、１サイト目で出力される編集レイアウトデータに基準画像データへのリンク付けを埋め込む手法やファイル名を利用して各データを関連付ける手法なども考えられる。
【特許文献１】特開２０００−２７２０７８号公報
【特許文献２】特開２００４−１４８７３４号公報
【発明の開示】
【発明が解決しようとする課題】
【０００６】
ところが、管理ファイルによって編集レイアウトデータと基準画像データとの関連付けをする場合、管理ファイルのフォーマットを決めなければならない。コンピュータシステムで使用されるファイルのフォーマットは、例えばアプリケーションソフトのバージョンアップ等によって変更されることが多々ある。このため、１サイト目と２サイト目との間でアプリケーションソフト等のバージョンの相違があった場合に、２サイト目で管理ファイルの読み込みが正常に行われないことが想定される。また、ファイルの特定等のために用いられる識別番号（ＩＤ）に重複が生じたり、オペレータのミスによって管理ファイルが消失する等の問題も考えられる。さらに、１サイト目で出力される編集レイアウトデータに基準画像データへのリンク付けを埋め込む手法では、例えば大貼り処理用のアプリケーションソフトなど様々な修正が必要になることが考えられる。さらにまた、ファイル名を利用する手法では、同じファイル名が使用されたり、出力処理が複数回された場合に、データの整合性が問題となる。
【０００７】
そこで、本発明では、１サイト目から２サイト目に検版処理に必要なデータが確実に転送され、検版処理を確実に行うことができる２サイト運用の製版印刷システムを提供することを目的とする。
【課題を解決するための手段】
【０００８】
第１の発明は、ページ記述言語で記述された１以上のページデータを含む編集用データと前記編集用データをビットマップ形式に変換した第１の画像データとを生成する第１のシステムと、刷版を作成するために前記第１のシステムで生成された編集用データを読み込んでビットマップ形式に変換した第２の画像データを生成する第２のシステムとからなる製版印刷システムであって、
前記第１のシステムは、
所定の規則に基づいて、前記編集用データに含まれる各ページデータの内容に応じた一意のコードを生成する第１のユニークコード生成手段と、
前記第１の画像データを前記第１のユニークコード生成手段によって生成されたコードと対応付けて前記第２のシステムへ出力する第１の画像データ出力手段とを備え、
前記第２のシステムは、
前記第１のユニークコード生成手段によって生成されたコードと対応付けられた第１の画像データを読み込む第１の画像データ読み込み手段と、
前記所定の規則に基づいて、前記第１のシステムで生成された編集用データに含まれる各ページデータの内容に応じた一意のコードを生成する第２のユニークコード生成手段と、
前記刷版と１以上の前記編集用データとを対応付け、各編集用データに基づく画像の前記刷版上における位置を示す情報を刷版位置データとして出力する刷版レイアウト手段と、
前記第１のシステムで生成された第１の画像データと、前記刷版レイアウト手段から出力された刷版位置データと前記第１のシステムで生成された編集用データとに基づいて生成された前記第２の画像データとを比較して検版を行う検版手段とを備え、
前記検版手段は、前記第２のユニークコード生成手段によって生成されたコードに基づいて、前記第１のユニークコード生成手段によって生成されたコードと対応付けられた第１の画像データを検索することにより、前記第２の画像データと比較すべき第１の画像データを特定することを特徴とする。
【００１１】
第２の発明は、第１の発明において、
前記第１のユニークコード生成手段によって生成されるコードおよび前記第２のユニークコード生成手段によって生成されるコードはハッシュ値であることを特徴とする。
【００１３】
第３の発明は、第１または第２の発明において、
前記第２のシステムは、前記第１のシステムで生成された第１の画像データを保持する第１の画像データ保持手段を更に備え、
前記検版手段は、前記第２の画像データと比較すべき第１の画像データを前記第１の画像データ保持手段に保持されている第１の画像データから特定することを特徴とする。
【００１４】
第４の発明は、第１から第３までのいずれかの発明において、
前記第１の画像データ出力手段は、前記第１のユニークコード生成手段によって生成されたコードを名称とするデータ格納手段を作成して、当該データ格納手段に前記第１の画像データを出力し、
前記検版手段は、前記第２のユニークコード生成手段によって生成されたコードに基づき当該コードを名称とするデータ格納手段を検出し、当該検出されたデータ格納手段に格納されている第１の画像データを前記第２の画像データと比較すべきデータとして特定することを特徴とする。
【００１５】
第５の発明は、ページ記述言語で記述された１以上のページデータを含む編集用データと前記編集用データをビットマップ形式に変換した第１の画像データとを生成する第１のシステムと、刷版を作成するために前記第１のシステムで生成された編集用データを読み込んでビットマップ形式に変換した第２の画像データを生成する第２のシステムとからなる製版印刷システムにおける検版方法であって、
前記第１のシステムにおいて、所定の規則に基づいて、前記編集用データに含まれる各ページデータの内容に応じた一意のコードを生成する第１のユニークコード生成ステップと、
前記第１のシステムにおいて、前記第１の画像データを前記第１のユニークコード生成ステップで生成されたコードと対応付けて前記第２のシステムへ出力する第１の画像データ出力ステップと、
前記第２のシステムにおいて、前記第１のユニークコード生成ステップで生成されたコードと対応付けられた画像データを読み込む第１の画像データ読み込みステップと、
前記第２のシステムにおいて、前記所定の規則に基づいて、前記第１のシステムで生成された編集用データに含まれる各ページデータの内容に応じた一意のコードを生成する第２のユニークコード生成ステップと、
前記第２のシステムにおいて、前記刷版と１以上の前記編集用データとを対応付け、各編集用データに基づく画像の前記刷版上における位置を示す情報を刷版位置データとして出力する刷版レイアウトステップと、
前記第２のシステムにおいて、前記第１のシステムで生成された第１の画像データと、前記刷版レイアウトステップで出力された刷版位置データと前記第１のシステムで生成された編集用データとに基づいて生成された前記第２の画像データとを比較して検版を行う検版ステップと
を備え、
前記検版ステップでは、前記第２のユニークコード生成ステップで生成されたコードに基づいて、前記第１のユニークコード生成ステップで生成されたコードと対応付けられた第１の画像データを検索することにより、前記第２の画像データと比較すべき第１の画像データが特定されることを特徴とする。
【００１８】
第６の発明は、第５の発明において、
前記第１のユニークコード生成ステップで生成されるコードおよび前記第２のユニークコード生成ステップで生成されるコードはハッシュ値であることを特徴とする。
【発明の効果】
【００２０】
上記第１の発明によれば、第１のシステムにおいて、編集用データをビットマップ形式に変換したデータである第１の画像データが、編集用データに含まれる各ページデータに基づいて所定の規則で生成されるユニークなコードと関連付けられた状態で出力される。一方、第２のシステムにおいて、検版手段は、編集用データに含まれる各ページデータに基づいて第１のシステムにおける規則と同じ規則で生成されるユニークなコードに基づいて、刷版を作成するための第２の画像データと比較すべき第１の画像データを特定する。このため、第１のシステムで生成された第１の画像データをユニークコードと関連付けた状態のまま第２のシステムに与えれば、第２のシステムにおいて、検版対象の第２の画像データと比較すべき第１の画像データが容易かつ確実に特定される。これにより、検版処理の際に検版対象のデータと比較対象のデータとの関連付けが確実に行われ、誤ったデータによる検版処理の抑制、迅速な検版処理が可能となる。また、編集用データと第１の画像データとはページデータ単位で関連付けられている。このため、第２のシステムにおいて、ページデータ単位で第２の画像データの検版処理を行うことができる。さらに、第２のシステムでの第２の画像データの生成前に、刷版レイアウト手段によって刷版と１以上の編集用データとの関連付けを行うことができる。そして、第２のシステムでは、刷版レイアウト手段から出力された刷版位置データと編集用データとに基づいて第２の画像データが生成される。このため、第１のシステムで編集用データが作成されてから第２のシステムで第２の画像データが生成されるまでに大貼り処理などが介在しても、編集用データと第１の画像データとの関連付けは確実に行われる。
【００２３】
上記第２の発明によれば、編集用データと第１の画像データとは、編集用データの内容に基づいて所定の規則で生成されるハッシュ値によって関連付けられている。例えば、編集用データのヘッダに記述されているスクリプトに基づいてハッシュ値を生成することにより、当該ハッシュ値は編集用データの内容に応じたユニークな値となる。このため、編集用データと第１の画像データとは、確実にユニークな値によって関連付けられる。これにより、データの関連付けに関するプログラムミスやオペレータのミス等に起因して関連付けが正常に行われないことが抑制される。また、上述のようにハッシュ値を生成することでハッシュ値は編集用データの内容に応じたものとなるので、異なるデータ間で値が重複することもなく、誤ったデータで検版処理が行われることが抑制される。
【００２５】
上記第３の発明によれば、第２のシステムには、第１の画像データを保持する場所が予め用意される。このため、第１のシステムから第２のシステムへのデータの送信に人が介在する場合でも、第２のシステムにおいてオペレータは特定の場所に第１の画像データを格納すればよく、システムの運用が容易になされ、オペレーションミスも抑制される。
【００２６】
上記第４の発明によれば、第１のユニークコード生成手段によって生成されたユニークなコードを例えばフォルダ名とするフォルダに第１の画像データが出力される。このため、第１のシステムから第２のシステムへ当該フォルダを送信すれば、データの関連付けのための情報と検版処理に使用される第１の画像データとが第１のシステムから第２のシステムに送信されることになる。これにより、上記第３の発明と同様、システムの運用が容易になされ、オペレーションミスも抑制される。
【発明を実施するための最良の形態】
【００２７】
以下、添付図面を参照しつつ、本発明の一実施形態について説明する。
【００２８】
＜１．全体構成＞
図１は、本発明の一実施形態に係る製版印刷システムの全体構成を示すブロック図である。この製版印刷システムは、印刷物のデザインを行うための第１のシステムを構成する製版サイト１０と、印刷機に取り付ける版（刷版）の作成を行うための第２のシステムを構成する刷版サイト２０とからなっている。このように、本実施形態では、製版処理と刷版出力処理とが異なる場所（部門）で行われる「２サイト運用」と呼ばれる運用が行われている。製版サイト１０には、パーソナルコンピュータ等によって実現されるデザイン装置１００と、プリンタ１１０とが含まれている。刷版サイト２０は、刷版レイアウトサイト２１と刷版出力サイト２２とからなっている。刷版レイアウトサイト２１には、パーソナルコンピュータ等によって実現される刷版レイアウトデータ作成装置２１０が含まれている。刷版出力サイト２２には、パーソナルコンピュータ等によって実現される検版装置２２０と、ＣＴＰ等と呼ばれる装置によって実現される刷版出力装置２３０とが含まれている。このシステムでは、製版サイト１０からの出力データが刷版サイト２０における入力データとなり、当該データの製版サイト１０から刷版サイト２０への送信については、記録媒体によるオフラインあるいはネットワークを介したオンラインによって行われる。
【００２９】
次に、図１に示す各構成要素の動作について説明する。デザイン装置１００は、印刷物を構成する文字や、ロゴ、絵柄、イラスト等の複数種類の部品を用いた編集処理を行い、印刷対象をページ記述言語で記述したページデータを生成する。また、デザイン装置１００は、ページデータを例えば１枚の用紙に４ページ毎に貼り合わせる等の面付け処理を行い、編集レイアウトデータを出力する。さらに、デザイン装置１００は、刷版サイト２０における検版処理のために、編集レイアウトデータにＲＩＰ処理が施された第１の画像データとしての基準画像データを出力する。プリンタ１１０は、デザイン装置１００におけるＲＩＰ処理の結果物としてのプルーフ（校正刷り）を出力する。
【００３０】
刷版レイアウトデータ作成装置２１０は、製版サイト１０から送信された編集レイアウトデータを受け取り、当該データが刷版として出力される際のレイアウト付けを施す大貼り処理を行い、その結果物として刷版レイアウトデータ（刷版位置データ）を出力する。検版装置２２０は、製版サイト１０から送信された編集レイアウトデータと刷版レイアウトデータ作成装置２１０から出力された刷版レイアウトデータとを受け取り、ＲＩＰ処理を施して刷版出力用の画像データを出力する。その際、検版装置２３０は、製版サイト１０から送信された基準画像データを読み込み、当該基準画像データと刷版サイト２０でのＲＩＰ処理後の第２の画像データとしての検版用のデータ（以下、「対象画像データ」という。）とを比較する処理（検版処理）を行う。刷版出力装置２３０は、検版装置２２０から出力された刷版出力用の画像データを受け取り、刷版を出力する。
【００３１】
＜２．データの流れ＞
次に、図２および図３を参照しつつ、このシステムで生成されるデータおよび製版サイト１０で編集処理が行われてから刷版サイト２０で検版処理が行われるまでのデータの流れについて説明する。図２は、このシステムで生成されるデータおよびその流れを模式的に示した図である。図３は、デザイン装置１００および検版装置２２０におけるデータの格納場所を模式的に示した図である。
【００３２】
製版サイト１０では、図２に示すように、デザイン装置１００から編集レイアウトデータ３と基準画像データ２とが出力される。編集レイアウトデータ３は、面付け処理が施された後のデータであり、複数ページ分のページデータを含んでいる。また、編集レイアウトデータ３は、ＲＩＰ処理が施される前のデータであり、文字データやイラスト等の部品データを含んでいる。一方、基準画像データ２は、ＲＩＰ処理が施された後のデータすなわちラスタデータ（ビットマップデータ）である。
【００３３】
デザイン装置１００は、図３に示すように、編集レイアウトデータ３を格納するための編集レイアウトデータ格納フォルダ３１を備えている。デザイン装置１００で作成された編集レイアウトデータ３は、この編集レイアウトデータ格納フォルダ３１に出力される。編集レイアウトデータ３は、本実施形態においては複数ページ分のページデータ３３と面付けの情報（データ）とが１つのフォルダ３２に格納された状態で構成されている。基準画像データ２については、編集レイアウトデータ３のヘッダに記述されているスクリプトに基づいて算出されるハッシュ値をフォルダ名とするデータ格納手段としてのフォルダ３４に出力される。このように、本実施形態では、ハッシュ値によって編集レイアウトデータ３と基準画像データ２とが関連付けられている。これら編集レイアウトデータ３および基準画像データ２は、オフラインあるいはオンラインで、製版サイト１０から刷版サイト２０へと送信される。
【００３４】
検版装置２２０は、図３に示すように、製版サイト１０から送信される基準画像データ２を格納するための第１の画像データ保持手段としての基準画像データ格納フォルダ３５を備えている。製版サイト１０から送信された基準画像データ２は、ハッシュ値をフォルダ名とするフォルダ３４に格納された状態のまま、この基準画像データ格納フォルダ３５に格納される。
【００３５】
刷版サイト２０では、図２に示すように、刷版レイアウトデータ作成装置２１０が編集レイアウトデータ３を受け取る。刷版レイアウトデータ作成装置２１０では、編集レイアウトデータ３を用いて大貼り処理が行われる。例えば、図２に示すように、１個の刷版に２個の編集レイアウトデータ３がレイアウト付けされる。このようにして大貼り処理が施されて、刷版レイアウトデータ作成装置２１０から刷版レイアウトデータ４が出力される。この刷版レイアウトデータ４は、刷版上における編集レイアウトデータのレイアウト（位置）を示す情報（データ）である。換言すれば、刷版レイアウトデータ４自体には文字データやイラスト等の部品データは含まれていない。従って、刷版レイアウトデータ４と編集レイアウトデータ３とを用いることによって刷版出力用の画像データを生成することができる。
【００３６】
刷版サイト２０では、刷版レイアウトデータ作成装置２１０から刷版レイアウトデータ４が出力された後、検版装置２２０が編集レイアウトデータ３と刷版レイアウトデータ４とを受け取る。検版装置２２０は、編集レイアウトデータ３と刷版レイアウトデータ４とに基づいて、検版処理のための対象画像データ５を生成する。この対象画像データ５は、ＲＩＰ処理が施された後のデータすなわちラスタデータ（ビットマップデータ）である。そして、検版装置２２０は、対象画像データ５のうちの検版対象の部分のデータ６と基準画像データ格納フォルダ３５に格納されている基準画像データ２とを比較する。
【００３７】
図４は、本実施形態に係る製版印刷システムの詳細な構成を示す機能ブロック図である。デザイン装置１００は、コンテンツ入力部１０１とＲＩＰ処理部１０２とプルーフ出力部１０３と第１のユニークコード生成手段としてのハッシュ値生成部１０４と第１の画像データ出力手段としての基準画像データ出力部１０５と編集レイアウトデータ出力部１０６とを備えている。コンテンツ入力部１０１は、文字データやイラスト等の部品データを含むページデータを生成し、そのページデータを用いて面付け処理を行う。ＲＩＰ処理部１０２は、面付け処理後のページデータに対してＲＩＰ処理を施す。プルーフ出力部１０３は、ＲＩＰ処理によって生成された画像データをプルーフとしてプリンタ１１０に出力する。ハッシュ値生成部１０４は、面付け処理後のページデータのヘッダに記述されているスクリプトに基づいてハッシュ値を算出する。基準画像データ出力部１０５は、ＲＩＰ処理によって生成された画像データを、ハッシュ値生成部１０４で算出されたハッシュ値をフォルダ名とするフォルダに基準画像データ２として出力する。編集レイアウトデータ出力部１０６は、面付け処理後のページデータに基づいて、編集レイアウトデータ３を出力する。
【００３８】
刷版レイアウトデータ作成装置２１０は、編集レイアウトデータ読込部２１１と刷版レイアウト手段としての刷版レイアウト処理部２１２と刷版レイアウトデータ出力部２１３とを備えている。編集レイアウトデータ読込部２１１は、製版サイト１０から送信された編集レイアウトデータ３を読み込む。刷版レイアウト処理部２１２は、編集レイアウトデータ３を用いて大貼り処理を行う。刷版レイアウトデータ出力部２１３は、大貼り処理の結果物としての刷版レイアウトデータ４を出力する。
【００３９】
検版装置２２０は、第１の画像データ読み込み手段としての基準画像データ読込部２２１と編集レイアウトデータ読込部２２２と刷版レイアウトデータ読込部２２３と刷版出力部２２４と第２のユニークコード生成手段としてのハッシュ値生成部２２５とＲＩＰ処理部２２６と検版手段としての検版処理部２２７とを備えている。基準画像データ読込部２２１は、製版サイト１０から送信されて基準画像データ格納フォルダ３５に格納されている基準画像データ２を読み込む。編集レイアウトデータ読込部２２２は、製版サイト１０から送信された編集レイアウトデータ３を読み込む。刷版レイアウトデータ読込部２２３は、刷版レイアウトデータ作成装置２１０から出力された刷版レイアウトデータ４を読み込む。ハッシュ値生成部２２５は、編集レイアウトデータ３のヘッダに記述されているスクリプトに基づいてハッシュ値を算出する。ＲＩＰ処理部２２６は、刷版レイアウトデータ４に基づいて編集レイアウトデータ３にＲＩＰ処理を施し、刷版出力用の画像データを生成するとともに検版処理のための対象画像データ５を生成する。検版処理部２２７は、対象画像データ５のうちの検版対象の部分のデータ６と基準画像データ２とを比較する。刷版出力部２２４は、刷版出力用の画像データを刷版出力装置２３０に出力する。
【００４０】
＜４．処理フロー＞
次に、本実施形態における処理手順について説明する。図５は、製版サイト１０のデザイン装置１００で行われる処理の手順を示すフローチャートである。ステップＳ１００では、コンテンツ入力部１０１によって、文字データやイラスト等の部品データを用いた編集処理、編集処理で生成されたページデータの面付け処理等が行われる。ステップＳ１１０では、ＲＩＰ処理部１０２によって、面付け処理後のページデータに対してＲＩＰ処理が施される。ステップＳ１２０では、プルーフ出力部１０３によって、ＲＩＰ処理で生成された画像データがプルーフとしてプリンタ１１０に出力される。ステップＳ１３０では、ハッシュ値生成部１０４によって、面付け処理後のページデータに基づいてハッシュ値が算出される。
【００４１】
ステップＳ１４０では、基準画像データ出力部１０５によって、ＲＩＰ処理で生成された画像データの基準画像データ２としての出力が行われる。このとき、まず、ステップＳ１３０で算出されたハッシュ値をフォルダ名とするフォルダ３４がデザイン装置１００内に作成される。そして、その作成されたフォルダ３４内に基準画像データ２が格納される。ステップＳ１５０では、編集レイアウトデータ出力部１０６によって、面付け処理後のページデータに基づいて編集レイアウトデータ３が出力される。
【００４２】
図６は、刷版レイアウトサイト２１の刷版レイアウトデータ作成装置１００で行われる処理の手順を示すフローチャートである。ステップＳ２００では、編集レイアウトデータ読込部２１１によって、編集レイアウトデータ３の読み込みが行われる。ステップＳ２１０では、刷版レイアウト処理部２１２によって、編集レイアウトデータ３を用いた大貼り処理が行われる。ステップＳ２２０では、刷版レイアウトデータ出力部２１３によって、大貼り処理の結果物としての刷版レイアウトデータ４が出力される。
【００４３】
図７は、刷版出力サイト２２の検版装置２２０で行われる処理の手順を示すフローチャートである。ステップＳ３００では、刷版レイアウトデータ読込部２２３によって、刷版レイアウトデータ４の読み込みが行われる。ステップＳ３１０では、編集レイアウトデータ読込部２２２によって、刷版レイアウトデータ４に基づき編集レイアウトデータ３の読み込みが行われる。ステップＳ３２０では、ハッシュ値生成部２２５によって、編集レイアウトデータ３に基づいてハッシュ値が算出がされる。ステップＳ３３０では、ＲＩＰ処理部２２６によって、刷版レイアウトデータ４に基づき編集レイアウトデータ３に対してＲＩＰ処理が施される。このＲＩＰ処理によって、検版処理の対象となる対象画像データ５が生成される。
【００４４】
ステップＳ３４０では、基準画像データ読込部２２１によって、基準画像データ格納フォルダ３５から基準画像データ２の読み込みが行われる。このとき、図８に示すように、ステップＳ３２０で算出されたハッシュ値に基づき、基準画像データ格納フォルダ３５に格納されている複数のフォルダの中から当該ハッシュ値をフォルダ名とするフォルダの検索が行われる。そして、検索されたフォルダ３４に格納されている基準画像データ２の読み込みが行われる。ステップＳ３５０では、検版処理すなわち基準画像データ２と対象画像データ５のうちの検版対象の部分のデータ６との比較が行われる。ステップＳ３６０では、検版処理の結果に対する承認処理が行われる。ステップＳ３７０では、ＲＩＰ処理後の刷版出力用の画像データが刷版出力装置２３０に出力される。ステップＳ３８０では、刷版出力装置２３０によって、刷版が出力される。
【００４５】
＜５．効果＞
以上のように、本実施形態によると、製版サイト１０では、編集レイアウトデータ３に基づいて算出されたハッシュ値をフォルダ名とするフォルダに基準画像データ２が格納される。このため、製版サイト１０において、データの内容に基づいて一意に決定される値によって、編集レイアウトデータ３と基準画像データ２とが関連付けられる。そして、基準画像データ２は、ハッシュ値をフォルダ名とするフォルダに格納された状態で製版サイト１０から刷版サイト２０に送信され、当該フォルダに格納された状態のまま検版装置２００の基準画像データ格納フォルダ３５に格納される。このため、編集レイアウトデータ３と基準画像データ２とが別々に製版サイト１０から刷版サイト２０に送信されても、あるいは、編集レイアウトデータ３を用いた大貼り処理等の処理が介在しても、刷版サイト２０では、編集レイアウトデータ３に基づいてハッシュ値を算出し、当該ハッシュ値をフォルダ名とするフォルダを検索すればよい。これにより、刷版サイト２０では、編集レイアウトデータ３と関連付けられている基準画像データ３を容易に特定することができる。その結果、刷版サイト２０における検版処理の際に、検版対象のデータと比較対象のデータとの関連付けが確実に行われる。
【００４６】
また、上述のように編集レイアウトデータ３と基準画像データ２とはハッシュ値によって関連付けられている。このため、データの関連付けに関するプログラムミスあるいはオペレータのミスに起因して「編集レイアウトデータ３と基準画像データ２との関連付けが正常に行われなかった」ということが抑制される。さらに、異なるデータ間で（データの関連付けのための）値が重複することもなく、フォーマットの変更等の問題も生じない。このように、システム全体を複雑化することなく編集レイアウトデータ３と基準画像データ２との関連付けが行われているので、異常が生じたときの原因究明も容易かつ迅速に行うことができる。これにより、検版処理が効率的なものとなり、また、刷版の無駄な出力も削減される。
【００４７】
＜６．変形例＞
次に、上記実施形態の変形例について説明する。上記実施形態においては、面付け処理後のデータすなわち複数ページ分のページデータを含む編集レイアウトデータ３に基づいてハッシュ値が算出されていたが、本変形例では、上記ハッシュ値に加えて１ページ分のページデータ毎のハッシュ値が算出される。
【００４８】
図９は、本変形例におけるデータの格納場所を模式的に示した図である。本変形例では、図９に示すように、編集レイアウトデータ３に含まれる複数のページデータ３３について１ページ分のページデータ毎にヘッダに記述されているスクリプトに基づいてハッシュ値が算出される。そして、各ページデータについてのハッシュ値と面付け情報とが関連付けられたデータ（以下、「ページハッシュ値データ」という。）３６が基準画像データ２とともにフォルダ３４に出力される。なお、図９に示すフォルダ３４については、上記実施形態と同様、複数のページデータ３３を含む編集レイアウトデータ３に基づいて算出されたハッシュ値がフォルダ名となっている。また、ページハッシュ値データ３６については例えば図１０に示すような構成となるが、編集レイアウトデータ３内での各ページデータの位置（レイアウト）を特定し得るものであれば他の構成であっても良い。
【００４９】
本変形例では、上述のページハッシュ値データ３６と基準画像データ２とはフォルダ３４に格納された状態で製版サイト１０から刷版サイト２０へ送信される。そして、刷版サイト２０において、検版装置２２０の基準画像データ格納フォルダ３５に、ページハッシュ値データ３６と基準画像データ２とを含むフォルダ３４が格納される。
【００５０】
検版処理の際には、図１１に示すように、編集レイアウトデータ３に基づくハッシュ値と各ページデータに基づくハッシュ値とが算出される。そして、まず編集レイアウトデータ３に基づいて算出されたハッシュ値を用いて、基準画像データ格納フォルダ３５より基準画像データ２が格納されているフォルダ３４の検索が行われる。次に、各ページデータに基づいて算出されたハッシュ値をキーとして、フォルダ３４内のページハッシュ値データ３６の参照が行われる。これにより、編集レイアウトデータ３に含まれている各ページデータについての基準画像データ２における位置の情報が取得される。その結果、検版装置２２０は、１ページ分のページデータ毎に検版処理を行うことができる。
【００５１】
＜７．その他＞
上記実施形態においては、製版サイト１０で面付け処理が行われることを前提に説明しているが、本発明はこれに限定されない。例えば、刷版サイト２０の刷版レイアウトサイト２１で面付け処理が行われる構成であっても良い。
【００５２】
さらに、上記実施形態ではハッシュ値を用いてデータの関連付けを行う構成としているが本発明はこれに限定されず、データの内容に基づいてシステムで一意に生成されるものであればハッシュ値以外のコードでデータの関連付けを行う構成としても良い。
【図面の簡単な説明】
【００５３】
【図１】本発明の一実施形態に係る製版印刷システムの全体構成を示すブロック図である。
【図２】上記実施形態において、データおよびその流れを模式的に示した図である。
【図３】上記実施形態において、デザイン装置および検版装置におけるデータの格納場所を模式的に示した図である。
【図４】上記実施形態に係る製版印刷システムの詳細な構成を示す機能ブロック図である。
【図５】上記実施形態において、製版サイトのデザイン装置で行われる処理の手順を示すフローチャートである。
【図６】上記実施形態において、刷版レイアウトサイトの刷版レイアウトデータ作成装置で行われる処理の手順を示すフローチャートである。
【図７】上記実施形態において、刷版レイアウトサイトの検版装置で行われる処理の手順を示すフローチャートである。
【図８】上記実施形態において、検版処理の際の動作について説明するための図である。
【図９】上記実施形態の変形例において、デザイン装置および検版装置におけるデータの格納場所を模式的に示した図である。
【図１０】上記変形例において、ページハッシュ値データの構成を示す図である。
【図１１】上記変形例において、検版処理の際の動作について説明するための図である。
【符号の説明】
【００５４】
２…基準画像データ
３…編集レイアウトデータ
４…刷版レイアウトデータ
５…対象画像データ
１０…製版サイト
２０…刷版サイト
２１…刷版レイアウトサイト
２２…刷版出力サイト
３５…基準画像データ格納フォルダ
３６…ページハッシュ値データ
１００…デザイン装置
１０１…コンテンツ入力部
１０２…ＲＩＰ処理部
１０３…プルーフ出力部
１０４…ハッシュ値生成部
１０５…基準画像データ出力部
１０６…編集レイアウトデータ出力部
２１０…編集レイアウトデータ作成装置
２１１…編集レイアウトデータ読込部
２１２…刷版レイアウト処理部
２１３…刷版レイアウトデータ出力部
２２０…検版装置
２２１…基準画像データ読込部
２２２…編集レイアウトデータ読込部
２２３…刷版レイアウトデータ読込部
２２４…刷版出力部
２２５…ハッシュ値生成部
２２６…ＲＩＰ処理部
２２７…検版処理部
２３０…刷版出力装置
【図１】
0004822899.tif 000002
【図２】
0004822899.tif 000003
【図３】
0004822899.tif 000004
【図４】
0004822899.tif 000005
【図５】
0004822899.tif 000006
【図６】
0004822899.tif 000007
【図７】
0004822899.tif 000008
【図８】
0004822899.tif 000009
【図９】
0004822899.tif 000010
【図１０】
0004822899.tif 000011
【図１１】
0004822899.tif 000012